(57)【要約】【課題】マイナスイオンを長期間に亘って放出することができ、健康維持作用を得ることができる靴および靴の中敷きを提供する。【解決手段】マイナスイオンを放出する鉱物の成分を水に溶出せしめ、この水を含浸せしめて乾燥したシート材を内装材１，２，３，４として用いて靴を構成し、また、マイナスイオンを放出する鉱物の成分を水に溶出せしめ、この水を含浸せしめて乾燥したシート材を用いて靴の中敷きを構成し、前記鉱物をトルマリン、前記シート材を天然皮革で構成した。【選択図】  図１
2004208907.tif 000002
【特許請求の範囲】
【請求項１】
マイナスイオンを放出する鉱物の成分を水に溶出せしめ、この水を含浸せしめて乾燥したシート材を内装材として用いてなる靴。
【請求項２】
前記鉱物はトルマリンである請求項１に記載の靴。
【請求項３】
前記シート材が天然皮革よりなる請求項１に記載の靴。
【請求項４】
マイナスイオンを放出する鉱物の成分を水に溶出せしめ、この水を含浸せしめて乾燥したシート材よりなる靴の中敷き。
【請求項５】
前記鉱物はトルマリンである請求項４に記載の靴の中敷き。
【請求項６】
前記シート材は天然皮革である請求項４に記載の靴の中敷き。
【発明の詳細な説明】
【０００１】
【発明の属する技術分野】
本発明は靴及び靴の中敷きに関し、より詳しくは鉱物由来のミネラル成分を含み、かつマイナスイオンを放出する靴及び靴の中敷きに関する。
【０００２】
【従来の技術とその問題点】
従来の靴には、その内装材に脱臭・消臭剤成分を含ませたものや遠赤外線を放出する物質を内蔵させたものがあり、また、靴とは別の製品として販売されている中敷きにも同様に脱臭・消臭成分を含ませたものや遠赤外線を放出する物質を内蔵させたものがある。
【０００３】
ところで近年、マイナスイオンが人体の健康に与える影響についての研究が数多くなされ、マイナスイオンが血液の浄化や新陳代謝の活性化という有効な作用を有し、また抗菌、除菌作用や消臭作用をも有しているということが明らかになってきており、マイナスイオンをコロナ放電によって電気的に発生させる機能を備える空気清浄機や空気調和機などが実用に供されている。
【０００４】
上述のように人体の健康維持に有効なマイナスイオンを、常に人体に接している靴や靴の中敷きから放出することができるようにすれば人体に対するマイナスイオンの作用をより一層効果的に利用できるのであるが、現在のところマイナスイオンを放出することができるようにした靴や靴の中敷きはない。
【０００５】
靴や靴の中敷きにマイナスイオンを放出する作用を担持させるには、マイナスイオンを放出する性質の鉱物を靴の内装材や中敷きの表面に接着剤等のバインダを用いて付着させるという手段が考えられるが、靴の内装材や中敷きは常にその表面と足との間に生じる摩擦力を受けるので、内装材や中敷きから脱落してしまい、マイナスイオンの作用が長く続かない。このことが、マイナスイオンを放出することができるようにした靴や靴の中敷きが実用化できない原因と考えられる。
【０００６】
【目的】
本発明の目的とするところは、マイナスイオンを長期間に亘って放出することができ、健康維持作用を得ることができる靴および靴の中敷きを提供することにある。
【０００７】
【発明の構成】
上記目的を達成するために、本発明に係る靴は、マイナスイオンを放出する鉱物の成分を水に溶出せしめ、この水を含浸せしめて乾燥したシート材を内装材として用いた構成のものとしてあり、前記鉱物をトルマリン、前記シート材を天然皮革で構成したものとしてある。
【０００８】
また本発明に係る靴の中敷きは、マイナスイオンを放出する鉱物の成分を水に溶出せしめ、この水を含浸せしめて乾燥したシート材よりなり、前記鉱物をトルマリン、前記シート材を天然皮革で構成したものとしてある。
【０００９】
【実施例】
以下、本発明に係る靴および中敷きの実施例について詳細に説明する。
本発明に係る靴は、その内装材にマイナスイオンを放出する鉱物の成分を担持せしめたものとしてある。
【００１０】
具体的には、電気石と呼ばれるトルマリン等のマイナスイオンを発生する鉱物を微粉末に粉砕し、この微粉末を水に添加して鉱物成分を水に溶出せしめ、鉱物成分が溶出したミネラル水中に内装材の材料である天然皮革等のシート材を浸漬してシート材を乾燥し、鉱物成分を担持せしめたシート材を内装材用の形状、寸法に加工し、この内装材を用いて靴を製造する。
なお、上記シート材を予め内装材の所要の形状、寸法にカットしておいてから鉱物成分が溶出したミネラル水中に浸漬する場合もある。また、シート材にミネラル水を噴霧や散布する場合もある。
【００１１】
本実施例における内装材とは、図１に示されるようにべろ材１、先裏材２、腰裏材３および中敷き材４を指す。
【００１２】
上記内装材たる中敷き材４は靴に直接取り付けられて靴の一部とされる着脱ができないものであるが、靴の中の中敷き材４の上に敷いて用いられる図２に示されるような着脱可能な中敷き５についても上述した内装材と同様の製造方法によって鉱物成分を担持せしめる。
【００１３】
なお、上記中敷き５は前記シート材を所要の形状にカットしてそのまま用いられる場合もあるし、図２のようにシート材５ａの下面全体に発泡ポリウレタン等のシート状クッション材５ｂが貼り合わせられる場合もあり、またクッション材は足の形状に合わせて凹凸が形成されたものを用いる場合もある。
【００１４】
次ぎに、上述のように構成した前記内装材１、２、３、４および中敷き５から放出されるマイナスイオンについての測定試験とその結果について説明する。
【００１５】
＜試料作成＞
まず、マイナスイオンを放出する天然鉱物（鉱石）たるトルマリン粉末１０ｇを精製水１リットル中に加えて攪拌し、常温で２４時間放置して精製水中にトルマリンの成分を溶出せしめてミネラル水を作成した。
【００１６】
厚さ１．２ｍｍの豚革を５ｃｍ四方にカットして試験片とし、この試験片を上記ミネラル水に１分間漬け、その後１２０℃に設定した乾燥器中で１分間乾燥して本実施例の試料とした。
また、ミネラル水を精製水に代え、その他の条件を同じとして比較例の試料を作成した。
【００１７】
＜測定＞
上述のように作成した本実施例の試料と、比較例の試料から放出されるイオンを、イオンカウンタ（シグマテック社製イオンカウンタＳＣ−５０）により計測した。
【００１８】
＜結果＞
図３に示されるイオングラフから明らかなように、本実施例の試料によるマイナスイオン数は比較例の試料のものに比して格段に大であり、本実施例の試料から多量のマイナスイオンが放出されていることがわかる。
【００１９】
上述したマイナスイオンの測定試験とは別に、前記ミネラル水中に含まれるミネラル成分についての測定も行なったところ、図４に示されるように人体に有用であり、かつ人体の免疫力や抵抗力を高めるといわれているミネラル成分たるカルシウム、ナトリウム、カリウム、マグネシウムおよびケイ素が多量に含まれていることが分かった。
したがって、本実施例の試料にはこれらのミネラル成分が多量に含まれていることが容易に推定できる。
【００２０】
上述した実施例においては、内装材や中敷きを天然皮革製のシート材よりなるものとしてあるが、人工皮革や布地等の他のシート材を用いる場合もある。
また、マイナスイオンを放出する鉱物としては天然鉱石たる本実施例のトルマリン以外にも各種のものがあり、その態様も鉱石でなく泥状あるいは砂状のものである場合もあるし、複数の鉱石から採取した鉱物成分を人工的に混合して粉状、粒状あるいはペースト状にしたものを用いる場合もある。
【００２１】
【発明の効果】
上述したように、本発明に係る靴はマイナスイオンが内装材から放出されて血液の浄化や新陳代謝の活性化がなされ、かつ内装材に人体に有用なミネラル成分が多量に含まれ、健康維持に極めて有用であることが分かった。
【００２２】
また、内装材と同様に本発明に係る中敷きからもマイナスイオンとミネラル成分による作用が得られ、通常の靴に本発明に係る中敷きを敷いて使用すれば本発明に係る靴と同様の効果を得ることができる。
【００２３】
さらに、本発明の靴および中敷きは、内装材や中敷きそのものに鉱物を付着させるのではなく、鉱物成分を溶出せしめた水を内装材や中敷きに含浸せしめて鉱物成分を担持せしめてあるので、足との摩擦によって鉱物成分が離脱してしまうようなおそれはなく、マイナスイオンの作用を長期間に亘って持続させることができる。
【００２４】
また、マイナスイオンには前述した健康増進作用だけでなく、静電気の防止や抗菌・除菌作用および消臭・脱臭作用があることが知られており、このことから靴内の衛生が保たれるという効果もある。
【図面の簡単な説明】
【図１】靴の一部を破断して示す斜視図。
【図２】中敷きの一例を示す斜視図。
【図３】マイナスイオンの測定試験結果を示すイオングラフ。
【図４】ミネラル水に含まれるミネラル成分の分析結果を示す表。
【符号の説明】
１  べろ材
２  先裏材
３  腰裏材
４  中敷き材
５  中敷き
【図１】
2004208907.tif 000003
【図２】
2004208907.tif 000004
【図３】
2004208907.tif 000005
【図４】
2004208907.tif 000006